(57)【要約】【課題】液体洗剤やクレンザーなどを収納する容器とブラシとが一体になっており、掃除をするとき及び掃除後の手間が少なく、掃除がしやすく、流通過程で問題を発生しにくく、詰め替えが可能な掃除用ブラシ付容器を提供する。【解決手段】容器本体2000の胴部の中心線に対して前方へ傾斜する口頸部に、キャップ本体1100とブラシ1200と注出口部材1300とからなるブラシ付キャップ1000が位置決めされて螺着し、このブラシ付キャップに、換気用スリットを側面に設けたカバーキャップ3000を冠着する。【選択図】図１
2006051997.tif 000002
【特許請求の範囲】
【請求項１】
容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの上方に、螺着方向側の係止突部と螺脱方向側の乗り越え係止突部を設けて、この二つの係止突部間に定位置係止溝を形成し、ブラシ付キャップは、キャップ本体と、キャップ本体の天板上面に嵌着するブラシと、キャップ本体の天板下面に嵌着する注出口部材とからなり、キャップ本体は、前方側の天板に注出口部材を内側に収容して咬合リングで係着する段差突起状部を設け、この段差突起状部に連続させて外周に沿って後方部にも設け、段差突起状部の上端外周面にオーバーキャップとの咬合リングを設け、段差突起状部の天板の前方側に貫通孔を設け、この貫通孔の左右両側縁部に、下方が細幅となっているスイング支柱を立設し、この二つのスイング支柱の上端に、前方に押し板を設け後方に停止板を立設し下面に注出口部材との封止突部を設ける開閉板を接続し、天板の後方側を三角形状に後方へ延設し、この天板の後方側に三角状のブラシとの咬合凹リングを外周下方に設ける咬合筒を立設し、天板下面の貫通孔の後方の左右側にそれぞれ円弧状の注出口部材との嵌合突部を設け、周壁の内周面に容器本体との雌ネジを設け、内周面上端の左右両側に容器本体との位置決め突部を設け、ブラシは、毛と水平断面形状が三角形状の台座とからなり、台座の天板に毛を植毛し、前方辺端の左右方向中央位置にキャップ本体の開閉板の停止板との当接板を立設し、台座の天板の下面にキャップ本体の咬合筒を封止するインナー封止リングを垂設し、台座の周壁の内周面下端部の前方及び左右側にキャップ本体との咬合突部をそれぞれ設け、注出口部材は、前方側に注出孔を上端にもちキャップ本体の天板の貫通孔から突出させて注出孔をキャップ本体の開閉板に密接させて封止する注出筒を立設し、後方側の左右側の所定位置にキャップ本体との円弧状の嵌合凹部をそれぞれ設け、下面に容器本体の口頸部を封止するインナー封止リングを垂設し、カバーキャップは、天板と周壁とからなり、前方部の水平断面形状が半円状で、後方部の水平断面形状が三角状で、周壁の前方部及び後方部左右側の側面に換気用スリットを設け、下端内周面にそれぞれキャップ本体との咬合突部を設けたことを特徴とする掃除用ブラシ付容器。
【請求項２】
容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの下方に、螺着方向側の係止突部と螺脱方向側の乗り越え係止突部を設けて、この二つの係止突部間に定位置係止溝を形成し、ブラシ付キャップは、キャップ本体と、キャップ本体の天板上面に係着する開閉スイング部材とブラシとからなり、キャップ本体は、天板の前方側が半円状で後方側は三角形状に延設し、前方側の天板に注出孔を上端にもつ注出筒を立設し、注出筒の外周近傍に、外周上端に咬合リングをもつ開閉スイング部材との咬合筒を周設し、咬合筒の後方の左右中央位置に位置決め突起を左右並行に設けて、この二つの係止突部間に定位置係止溝を形成し、後方側の天板に外周に沿ってブラシとの係着リブを立設し、周壁の下端の容器本体の定位置係止溝に対応する位置に、容器本体との位置決め突部を設け、周壁の内周面に容器本体との雌ネジを設け、開閉スイング部材は、中央にキャップ本体の注出筒が貫入する貫通孔を設け、この貫通孔の左右両側縁部の天板に、下方が細幅となっているスイング支柱を立設し、この二つのスイング支柱の上端に、前方に押し板を設け後方に停止板を立設し下面に注出口部材との封止突部を設ける開閉板を接続し、周壁の下面にキャップ本体の咬合筒との咬合溝を設け、咬合溝の外側下端内面に咬合リングを設け、周壁の後方下端の左右中央位置にキャップ本体との位置決め突部を設け、ブラシは、毛と水平断面形状が前方側が半円状で後方側が三角形状の台座とからなり、台座の天板に毛を植毛し、台座の前方位置に、開閉スイング部材の開閉板を接続するスイング支柱が突出する切欠き部を設け、周壁の下端内周面をキャップ本体の係着リブに係合するように設け、カバーキャップは、天板と周壁とからなり、前方部の水平断面形状が半円状で、後方部
の水平断面形状が三角状で、周壁の前方部及び後方部左右側の側面に換気用スリットを設け、下端内周面をブラシ付キャップと係合するように設けたことを特徴とする掃除用ブラシ付容器。
【請求項３】
容器本体の胴部の中心線に対して前方へ傾斜する口頸部に、ブラシ付キャップを位置決めして係着し、このブラシ付キャップにカバーキャップが冠着する容器であって、容器本体は、口頸部の外周面にブラシ付キャップとの係合部を設け、ブラシ付キャップは、キャップ本体と、キャップ本体の天板上面に係着するブラシと、ブラシの台座の天板に係着するトグル式注出口部材とからなり、キャップ本体は、天板の先方側が半円状で後方側は三角形状に延設し、天板の周壁中心対応位置に、トグル式注出口部材の注出時に連通する貫通孔を設け、周壁の内周面に容器本体との係合部を設け、ブラシは、毛と水平断面形状が前方側が半円状で後方側が三角形状の台座とからなり、台座の前方部に段差を設け、台座の左右方向中央に、段差の前方から後方へかけて水平断面形状が長方形状のトグル式注出口部材の取付凹陥部を設け、取付凹陥部の前後方向中央位置の内側側面の両側に対向する軸受け凹部をそれぞれ設け、台座の後方の天板に毛を植毛し、トグル式注出口部材は、前後方向に長い長方筒状で、天板の前後方向中央位置から前方部及び後方部が上方へ傾斜し、周壁の前方面、左右両側面及び後方面がブラシの台座の取付凹陥部の下端内周面に摺接し、周壁の前方面及び後方面を曲面状の摺接面で、その上下方向の中程に係止板をそれぞれ突設し、周壁の左右両側面の前後方向の中央位置に、ブラシの台座の軸受け凹部に摺動可能に挿着する回転軸をそれぞれ突設し、周壁の後方面の係止板上方の上下方向の中程に注出孔を設け、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設け、使用するときに、カバーキャップを取り外し、ブラシの台座の取付凹陥部に取り付けれたトグル式注出口部材の天板の前方部を押し込み、後方部を上げて周壁の後方面に設けられている注出孔を開口することを特徴とする掃除用ブラシ付容器。
【請求項４】
容器本体の胴部の中心線に対して前方へ傾斜する口頸部に、ブラシ付キャップを位置決めして係着し、このブラシ付キャップにカバーキャップが冠着する容器であって、容器本体は、口頸部の外周面にブラシ付キャップとの係合部を設け、ブラシ付キャップは、キャップ本体と、キャップ本体の天板上面に係着するブラシと、ブラシの台座の天板に係着する直立式注出口部材とからなり、キャップ本体は、天板の先方側が半円状で後方側は三角形状に延設し、天板の周壁中心対応位置に、直立式注出口部材の注出時に連通する貫通孔を設け、周壁の内周面に容器本体との係合部を設け、ブラシは、毛と水平断面形状が前方側が長方形で後方側が三角形状の台座とからなり、台座の左右方向中央の前方部に段差を設けて水平断面形状が長方形状の直立式注出口部材の取付凹陥部を設け、取付凹陥部の内側側面の前後方向中央位置の両側に対向する直立式注出口部材との軸受け凹部をそれぞれ設け、底面の中央位置に直立式注出口部材との貫通孔を設け、台座の天板に毛を植毛し、直立式注出口部材は、前面から曲面状の摺接面の後面に貫通する注出孔を設ける角柱状で、左右両側面の対応する下端部のそれぞれに、台座の取付凹陥部の軸受け凹部に摺動可能に挿着する回転軸を設け、直立したときに注出孔下端がブラシの台座の取付凹陥部の貫通孔に連通し、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設けたことを特徴とする掃除用ブラシ付容器。
【請求項５】
容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの上方に、螺着方向側の係止突部と螺脱方向側の乗り越え係止突部を設けて、この二つの係止突部間に
定位置係止溝を形成し、ブラシ付キャップは、キャップ本体と、キャップ本体の天板上面に嵌着するブラシと、開閉ボタン部材とからなり、キャップ本体は、天板の前方側が半円状で後方側は三角形状に延設し、天板の外周内側にカバーキャップとの咬合リングを外周にもつ段差突起状部を設け、この段差突起状部の前方側に、上端外周縁部に係止リングをもち、内側に摺接開閉支柱を放射状の複数個の接続リブを下端に設けて中心に接続する注出筒を立設し、この注出筒の後方側の段差突起状部にブラシを係着する外周上端に咬合リングをもつ咬合筒を外周に沿わせて設け、ブラシは、毛と水平断面形状が前方側が半円状で後方側が三角形状の台座とからなり、台座の天板に毛を植毛し、台座の下端内周面にキャップ本体との咬合リングを設け、開閉ボタン部材は、天板と周壁とからなり、天板の中央位置に開閉用摺接孔を設け外周に開口用引掛け周縁部を設け、周壁の上方内周に係止リングを設け、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設けたことを特徴とする掃除用ブラシ付容器。
【発明の詳細な説明】
【技術分野】
【０００１】
本発明は、液体洗剤やクレンザーなどを用いて掃除するときに使用する掃除用ブラシ付容器に関するものである。
【背景技術】
【０００２】
従来、掃除をするときには、容器から液体洗剤やクレンザーなどを取り出し、ブラシなどに付けて掃除をしていた。
【発明の開示】
【発明が解決しようとする課題】
【０００３】
しかしながら、液体洗剤やクレンザーなどを入れた容器とブラシは、別個のものであり、したがって、掃除をするとき及び掃除後に、手間がかかった。
【０００４】
本発明は、上述の従来の掃除における問題点を解決したものであり、液体洗剤やクレンザーなどを収納する容器とブラシとが一体になっており、掃除をするとき及び掃除後の手間が少なく、掃除がしやすく、流通過程で問題を発生しにくく、詰め替えが可能な掃除用ブラシ付容器を提供するものである。
【課題を解決するための手段】
【０００５】
すなわち、本発明の第１の発明は、容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの上方に、螺着方向側の係止突部と螺脱方向側の乗り越え係止突部を設けて、この二つの係止突部間に定位置係止溝を形成し、ブラシ付キャップは、キャップ本体と、キャップ本体の天板上面に嵌着するブラシと、キャップ本体の天板下面に嵌着する注出口部材とからなり、キャップ本体は、前方側の天板に注出口部材を内側に収容して咬合リングで係着する段差突起状部を設け、この段差突起状部に連続させて外周に沿って後方部にも設け、段差突起状部の上端外周面にオーバーキャップとの咬合リングを設け、段差突起状部の天板の前方側に貫通孔を設け、この貫通孔の左右両側縁部に、下方が細幅となっているスイング支柱を立設し、この二つのスイング支柱の上端に、前方に押し板を設け後方に停止板を立設し下面に注出口部材との封止突部を設ける開閉板を接続し、天板の後方側を三角形状に後方へ延設し、この天板の後方側に三角状のブラシとの咬合凹リングを外周下方に設ける咬合筒を立設し、天板下面の貫通孔の後方の左右側にそれぞれ円弧状の注出口部材との嵌合突部を設け、周壁の内周面に容器本体との雌ネジを設け、内周面上端の左右両側に容器本体との位置決め突部を設け、ブラシは、毛と水平断面形状が三角形状の台座とからなり、台座の天板に毛を植毛し、前方辺端の左右方向中央位置にキャップ本体の開閉板の停止板との当接板を立設し、台座の天板の下面にキャップ本体の咬合筒を封止するインナー封止リングを垂設し、台座の周壁の内周面下端部の前方及び左右側にキャップ本体との咬合突部をそれぞれ設け、注出口部材は、前方側に注出孔を上端にもちキャップ本体の天板の貫通孔から突出させて注出孔をキャップ本体の開閉板に密接させて封止する注出筒を立設し、後方側の左右側の所定位置にキャップ本体との円弧状の嵌合凹部をそれぞれ設け、下面に容器本体の口頸部を封止するインナー封止リングを垂設し、カバーキャップは、天板と周壁とからなり、前方部の水平断面形状が半円状で、後方部の水平断面形状が三角状で、周壁の前方部及び後方部左右側の側面に換気用スリットを設け、下端内周面にそれぞれキャップ本体との咬合突部を設けたことを特徴とする掃除用ブラシ付容器である。
【０００６】
次に、本発明の第２の発明は、容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの下方に、螺着方向側の係止突部と螺脱方向側の乗り越え係止突部を設けて、この二つの係止突部間に定位置係止溝を形成し、ブラシ付キャップは、キャップ本体と、キャップ本体の天板上面に係着する開閉スイング部材とブラシとからなり、キャップ本体は、天板の前方側が半円状で後方側は三角形状に延設し、前方側の天板に注出孔を上端にもつ注出筒を立設し、注出筒の外周近傍に、外周上端に咬合リングをもつ開閉スイング部材との咬合筒を周設し、咬合筒の後方の左右中央位置に位置決め突起を左右並行に設けて、この二つの係止突部間に定位置係止溝を形成し、後方側の天板にブラシとの係着リブを外周に沿って立設し、周壁の下端の容器本体の定位置係止溝に対応する位置に、容器本体との位置決め突部を設け、周壁の内周面に容器本体との雌ネジを設け、開閉スイング部材は、中央にキャップ本体の注出筒が貫入する貫通孔を設け、この貫通孔の左右両側縁部の天板に、下方が細幅となっているスイング支柱を立設し、この二つのスイング支柱の上端に、前方に押し板を設け後方に停止板を立設し下面に注出口部材との封止突部を設ける開閉板を接続し、周壁の下面にキャップ本体の咬合筒との咬合溝を設け、咬合溝の外側下端内面に咬合リングを設け、周壁の後方下端の左右中央位置にキャップ本体との位置決め突部を設け、ブラシは、毛と水平断面形状が前方側が半円状で後方側が三角形状の台座とからなり、台座の天板に毛を植毛し、台座の前方位置に、開閉スイング部材の開閉板を接続するスイング支柱が突出する切欠き部を設け、周壁の下端内周面をキャップ本体の係着リブに係合するように設け、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと咬合するように設けたことを特徴とする掃除用ブラシ付容器である。
【０００７】
次に、本発明の第３の発明は、容器本体の胴部の中心線に対して前方へ傾斜する口頸部に、ブラシ付キャップを位置決めして係着し、このブラシ付キャップにカバーキャップが冠着する容器であって、容器本体は、口頸部の外周面にブラシ付キャップとの係合部を設け、ブラシ付キャップは、キャップ本体と、キャップ本体の天板上面に係着するブラシと、ブラシの台座の天板に係着するシーソー式注出口部材とからなり、キャップ本体は、天板の先方側が半円状で後方側は三角形状に延設し、天板の周壁中心対応位置に、シーソー式注出口部材の注出時に連通する貫通孔を設け、周壁の内周面に容器本体との係合部を設け、ブラシは、毛と水平断面形状が前方側が半円状で後方側が三角形状の台座とからなり、台座の前方部に段差を設け、台座の左右方向中央に、段差の前方から後方へかけて水平断面形状が長方形状のシーソー式注出口部材の取付凹陥部を設け、取付凹陥部の前後方向中央位置の内側側面の両側に対向する軸受け凹部をそれぞれ設け、台座の後方の天板に毛を植毛し、シーソー式注出口部材は、前後方向に長い長方筒状で、天板の前後方向中央位置から前方部及び後方部が上方へ傾斜し、周壁の前方面、左右両側面及び後方面がブラシの台座の取付凹陥部の下端内周面に摺接し、周壁の前方面及び後方面を曲面状の摺接面で、その上下方向の中程に係止板をそれぞれ突設し、周壁の左右両側面の前後方向の中央位置に、ブラシの台座の軸受け凹部に摺動可能に挿着する回転軸をそれぞれ突設し、周壁の後方面の係止板上方の上下方向の中程に注出孔を設け、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設け、使用するときに、カバーキャップを取り外し、ブラシの台座の取付凹陥部に取り付けれたシーソー式注出口部材の天板の前方部を押し込み、後方部を上げて周壁の後方面に設けられている注出孔を開口することを特徴とする掃除用ブラシ付容器である。
【０００８】
次に、本発明の第４の発明は、容器本体の胴部の中心線に対して前方へ傾斜する口頸部
に、ブラシ付キャップを位置決めして係着し、このブラシ付キャップにカバーキャップが冠着する容器であって、容器本体は、口頸部の外周面にブラシ付キャップとの係合部を設け、ブラシ付キャップは、キャップ本体と、キャップ本体の天板上面に係着するブラシと、ブラシの台座の天板に係着する直立式注出口部材とからなり、キャップ本体は、天板の先方側が半円状で後方側は三角形状に延設し、天板の周壁中心対応位置に、直立式注出口部材の注出時に連通する貫通孔を設け、周壁の内周面に容器本体との係合部を設け、ブラシは、毛と水平断面形状が前方側が長方形で後方側が三角形状の台座とからなり、台座の左右方向中央の前方部に段差を設けて水平断面形状が長方形状の直立式注出口部材の取付凹陥部を設け、取付凹陥部の内側側面の前後方向中央位置の両側に対向する直立式注出口部材との軸受け凹部をそれぞれ設け、底面の中央位置に直立式注出口部材との貫通孔を設け、台座の天板に毛を植毛し、直立式注出口部材は、前面から曲面状の摺接面の後面に貫通する注出孔を設ける角柱状で、左右両側面の対応する下端部のそれぞれに、台座の取付凹陥部の軸受け凹部に摺動可能に挿着する回転軸を設け、直立したときに注出孔下端がブラシの台座の取付凹陥部の貫通孔に連通し、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設けたことを特徴とする掃除用ブラシ付容器である。
【０００９】
そして、本発明の第５の発明は、容器本体の胴部の中心線に対して前方へ傾斜する口頸部に、ブラシ付キャップが位置決めされて螺着し、このブラシ付キャップにカバーキャップが冠着する容器であって、容器本体は、口頸部の外周面にブラシ付キャップとの雄ネジを設け、この雄ネジの上方に、螺着方向側の係止突部と螺脱方向側の乗り越え係止突部を設けて、この二つの係止突部間に定位置係止溝を形成し、ブラシ付キャップは、キャップ本体と、キャップ本体の天板上面に嵌着するブラシと、開閉ボタン部材とからなり、キャップ本体は、天板の前方側が半円状で後方側は三角形状に延設し、天板の外周内側にカバーキャップとの咬合リングを外周にもつ段差突起状部を設け、この段差突起状部の前方側に、上端外周縁部に係止リングをもち、内側に摺接開閉支柱を放射状の複数個の接続リブを下端に設けて中心に接続する注出筒を立設し、この注出筒の後方側の段差突起状部にブラシを係着する外周上端に咬合リングをもつ咬合筒を外周に沿わせて設け、ブラシは、毛と水平断面形状が前方側が半円状で後方側が三角形状の台座とからなり、台座の天板に毛を植毛し、台座の下端内周面にキャップ本体との咬合リングを設け、開閉ボタン部材は、天板と周壁とからなり、天板の中央位置に開閉用摺接孔を設け外周に開口用引掛け周縁部を設け、周壁の上方内周に係止リングを設け、カバーキャップは、天板と周壁とからなり、前方部の水平断面形状が半円状で、後方部の水平断面形状が三角状で、周壁の前方部及び後方部左右側の側面に換気用スリットを設け、下端内周面をブラシ付キャップと係合するように設けたことを特徴とする掃除用ブラシ付容器である。
【発明の効果】
【００１０】
本発明の第１又は第２の発明の掃除用ブラシ付容器は、カバーキャップを取って、容器を下方へ傾斜させて、開閉板の前方位置の押し板を指で押すと、開閉板を支える左右両側のスイング支柱が下方の細幅位置で付勢状態でスイング状に前方へ曲がり、開閉板の下面の封止突部で封止されていた第１の発明の注出口部材又は第２の発明の開閉スイング部材の注出孔が開口して、容器本体の胴部を押圧すると収容されていた液体洗剤やクレンザーなどが第１の発明の注出口部材又は第２の発明の開閉スイング部材の注出孔から注出される。開閉板の押し板から指を外すと、スイング支柱の弾性により第１の発明の注出口部材又は第２の発明の開閉スイング部材が元の位置に戻り、開閉板の停止板がブラシの台座に当接して停止し、第１の発明の注出口部材又は第２の発明の開閉スイング部材の注出孔を開閉板の下面に設けられた封止突部で封止する。このため、掃除直前に容器本体に収納されていた液体洗剤やクレンザーなどを被掃除体へ注出させて、容器本体の口頸部に装着するキャップの先端に付いているブラシで掃除することができ、また、ブラシで掃除しなが
ら、容器本体に収納されていた液体洗剤やクレンザーなどを注出させることもできる。この掃除の手間は、液体洗剤やクレンザーなどを収納する容器とブラシが別個の場合と比較して、極めて手軽であり少なくて済む。
【００１１】
また、本発明の第３の掃除用ブラシ付容器は、カバーキャップを取って、ブラシの台座の前方部に突出するシーソー式注出口部材の天板の前方部を押し下げると、シーソー式注出口部材の天板の後方部が押し上がって、シーソー式注出口部材の周壁の後方面に設けられている注出孔が開口する。容器本体の胴部を押圧すると、シーソー式注出口部材の周壁の後方面の注出孔から、容器本体に収納されていた液体洗剤やクレンザーなどがブラシの毛に降り注ぎ泡立つ。この状態で、被掃除体をブラシで掃除することができる。この掃除の手間は、液体洗剤やクレンザーなどを収納する容器とブラシが別個の場合と比較して、極めて手軽であり少なくて済む。なお、液体洗剤やクレンザーなど注出は、容器本体の胴部の押圧により調整ができ、また、掃除を完了したときに、シーソー式注出口部材の天板の後方部を押し下げて、注出孔を閉じる。
【００１２】
また、本発明の第４の掃除用ブラシ付容器は、カバーキャップを取って、ブラシの台座の前方へに突出する直立式注出口部材を後方上方へ回転して直立させると、注出孔の下端が台座の取付凹陥部の貫通孔と連通し、注出孔が開口する。容器本体の胴部を押圧して直立式注出口部材の注出孔から容器本体に収納されていた液体洗剤やクレンザーなどを注出させながら、ブラシで被掃除体を掃除することができる。この掃除の手間は、液体洗剤やクレンザーなどを収納する容器とブラシが別個の場合と比較して、極めて手軽であり少なくて済む。なお、直立式注出口部材は、直立したときに注出孔が開口するものであり、注出孔の開閉が外観から確認し易く、また、構造上、不意の外的衝撃により注出孔の開閉することがない。
【００１３】
また、本発明の第５の掃除用ブラシ付容器は、カバーキャップを取って、キャップ本体の段差突起状部の前方側に立設する注出筒を封止する開閉ボタン部材の開口用引掛け周縁部に指を掛けて引き上げると、注出孔が開口する。容器本体の胴部を押圧して直立式注出口部材の注出孔から容器本体に収納されていた液体洗剤やクレンザーなどを注出させながら、ブラシで被掃除体を掃除することができる。この掃除の手間は、液体洗剤やクレンザーなどを収納する容器とブラシが別個の場合と比較して、極めて手軽であり少なくて済む。なお、掃除を完了したときに、開閉ボタン部材をを押し下げることにより、注出孔を再封止できる。
【００１４】
また、本発明の第１乃至第５の発明の掃除用ブラシ付容器は、ブラシキャップが装着されている容器本体の口頸部が、容器本体の胴部の中心線に対して前方へ傾斜しているため、掃除するときに、使用しやすい。また、ブラシの台座が三角形状であるため、被掃除体の角部を掃除しやすい。
【００１５】
また、本発明の第１乃至第５の発明の掃除用ブラシ付容器は、流通過程や店頭において、未開封の容器のブラシ付キャップにカバーキャップを冠着して置くと、不意に外的衝撃を受けてもカバーキャップにより開閉板が固定されているため、容器本体に収納されている液体洗剤やクレンザーなどが漏れることがない。また、店頭での悪戯防止の機能もある。
【００１６】
また、本発明の第１乃至第５の発明の掃除用ブラシ付容器は、カバーキャップの周壁に通気用スリットが設けられているため、使用したのち、ブラシを洗浄して保管する場合に、水分などを飛ばしやすい。
【００１７】
また、本発明の第１乃至第５の発明の掃除用ブラシ付容器は、容器本体に収納する液体
洗剤やクレンザーなどがなくなったときには、容器本体の口頸部からブラシ付キャップを着脱することができるため、液体洗剤やクレンザーなどの詰め替えができる。
【発明を実施するための最良の形態】
【００１８】
次に、本発明の掃除用ブラシ付容器の実施形態について、図を用いて詳細に説明する。
【００１９】
図１は、実施形態１の掃除用ブラシ付容器の構成を示す分解斜視図であり、図２は、組付けたときの要部を示す断面図である。図３（ａ）は、実施形態１のキャップ本体の平面図であり、図３（ｂ）は、断面図で、（ｃ）は、底面図である。図４（ａ）は、実施形態１のブラシの平面図で、図４（ｂ）は、底面図である。図５（ａ）は、実施形態１の注出口部の平面図であり、（ｂ）は、断面図である。図６（ａ）は、実施形態１のカバーキャップの断面図であり、（ｂ）は、底面図である。図７は、実施形態１の容器本体の側面図である。図８は、実施形態１の開閉板の押し板を押してスイング支柱を前方にスイングさせて、注出口部の注出孔を開口した状態を示す説明図である。図９は、実施形態２の掃除用ブラシ付容器の構成を示す分解斜視図である。図１０は、実施形態３の掃除用ブラシ付容器の構成を示す分解斜視図であり、図１１は、そのブラシ付キャップの構成を示す分解斜視図で、図１２は、ブラシ付キャップの注出孔をを開口しているときの斜視図である。図１３は、実施形態４の掃除用ブラシ付容器の構成を示す分解斜視図であり、図１４は、そのブラシ付キャップの構成を示す分解斜視図であり、図１５は、ブラシ付キャップの開閉操作を示す斜視図である。図１６は、実施形態５の掃除用ブラシ付容器のブラシ付キャップの構成を示す分解斜視図であり、図１７は、その掃除用ブラシ付容器の一部を切り欠いた斜視図である。
【００２０】
実施形態１乃至４の掃除用ブラシ付容器（１００，２００，３００，４００，５００）は、図１、図９、図１０、図１３又は図１６に示すように、容器本体（２０００）の胴部（２０１０）の中心線に対して前方へ傾斜する口頸部（２０２０）に、ブラシ付キャップ（１０００，４０００，５０００，６０００，７０００）が位置決めされて螺着し、このブラシ付キャップにカバーキャップ（３０００）が冠着する容器である。容器本体は、使用目的に適合する高密度ポリエチレンなどの熱可塑性樹脂を用いて、ブロー成形法により作製するものであり、ブラシ付キャップの各部材及びカバーキャップは、使用目的に適合する熱可塑性樹脂、例えば、キャップ本体は低密度ポリエチレン、ブラシ台座はポリプロピレン、注出口部材とカバーキャップはポリプロピレンを用いて、射出成形法により作製するものである。
【００２１】
まず、図１に示す実施形態１の掃除用ブラシ付容器（１００）について説明する。実施形態１の容器本体（２０００）の構造は、図７に示すように、口頸部（２０２０）が胴部（２０１０）の中心線に対して前方へ３０度だけ傾斜するものである。口頸部の外周面にブラシ付キャップとの雄ネジ（２０２１）を設け、雄ネジの上方の外周面の左右両側に、それぞれ、螺着方向側の係止突部（２０２２）と螺脱方向側の乗り越え係止突部（２０２３）を設けて、この二つの係止突部間に定位置係止溝（２０２４）を形成するものである。なお、乗り越え係止突部は、螺脱方向側へ曲面状の傾斜面を設けて、ブラシ付キャップを螺着するときに、図３（ｂ）に示すキャップ本体（１１００）の位置決め突部（１１８３）が乗り越えられるように設けるものである。また、螺着方向側にも緩やかな曲面状の傾斜面を設けて、詰め替えのためブラシ付キャップを螺脱するときに、キャップ本体の位置決め突部が必要な強度（使用中はキャップが容器本体に位置決めされている）をもって乗り越えられるように設けるものである。
【００２２】
実施形態１のブラシ付キャップ（１０００）の構造は、図１に示すように、キャップ本体（１１００）と、キャップ本体の天板上面の所定後方位置に嵌着するブラシ（１２００）と、キャップ本体の天板下面の所定位置に嵌着する注出口部材（１３００）とからなる
ものである。キャップ本体（１１００）の構造は、図３（ａ）、（ｂ）及び（ｃ）に示すように、前方側の天板（１１１０）に注出口部材を内側に収容して咬合リング（１１２２）で係着する段差突起状部（１１２０）を設け、この段差突起状部に連続させて外周に沿って後方部にも設け、段差突起状部の上端外周面にオーバーキャップとの咬合リング（１２１３）を設け、段差突起状部の天板（１１２１）の前方側に、注出口部材の注出筒が突出する貫通孔（１１３０）を設け、この貫通孔の左右両側縁部に、下方が細幅となっているスイング支柱（１１４０）をそれぞれ立設し、この二つのスイング支柱の上端に、前方に押し板（１１５１）を設け後方に停止板（１１５２）を立設し下面に注出口部材との封止突部（１１５３）を設ける開閉板（１１５０）を接続し、天板の後方側を三角形状に後方へ延設し、この天板の後方側に三角状のブラシとの咬合凹リング（１１６１）を外周下方に設ける咬合筒（１１６０）を立設し、天板下面の貫通孔の後方の左右側にそれぞれ円弧状の注出口部材との嵌合突部（１１７０）を設け、図３（ｂ）に示すように、周壁（１１８０）の内周面に容器との雌ネジ（１１８１）を設け、内周面上端の左右両側に容器本体の定位置係止溝（２０２４）に嵌入する位置決め突部（１１８３）を設けるものである。ブラシ（１２００）の構造は、図１に示すように、毛（１２２０）と水平断面形状が三角形状の台座（１２１０）とからなり、図４（ａ）に示すように、台座（１２１０）の天板（１２１１）に毛（１２２０）を植毛し、前方辺端の左右方向中央位置に、キャップ本体の開閉板の停止板との当接板（１２１２）を立設し、図４（ｂ）に示すように、台座の天板の下面に、キャップ本体の咬合筒内に液体洗剤やクレンザーなどが進入しないように封止するインナー封止リング（１２１３）を垂設し、台座の周壁の内周面下端部の前方及び左右側にキャップ本体との咬合突部（１２１５）をそれぞれ設けるものである。注出口部材（１３００）の構造は、図５（ａ）及び（ｂ）に示すように、前方側に注出孔（１３１１）を上端にもちキャップ本体の天板の貫通孔から突出させて注出孔をキャップ本体の開閉板に密接させて封止する注出筒（１３１０）を立設し、後方側の左右側の所定位置に、キャップ本体の天板下面の貫通孔の後方の左右側に設ける円弧状の嵌合突部（１１７０）と嵌合する円弧状の嵌合凹部（１３２０）をそれぞれ設け、下面に、容器本体の口頸部を封止するインナー封止リング（１３３０）を垂設するものである。
【００２３】
実施形態１のカバーキャップ（３０００）の構造は、図６（ａ）及び（ｂ）に示すように、天板（３０１０）と周壁（３０２０）とからなり、前方部の水平断面形状が半円状で、後方部の水平断面形状が三角状で、周壁の前方部及び後方部左右側の側面に、下端から上方へ所定の高さまで換気用スリット（３０２１）を設けるものである。また、必要に応じては、内側の内周面に天板から周壁下方へ至る補強リブ（３０２３）を設けるものである。また、下端内周面の前方部及び後方部左右側の左右側面両側に、キャップ本体との咬合突部（３０２２）を設けるものである。
【００２４】
上述した実施形態１の掃除用ブラシ付容器（１００）は、図１及び図２に示すように、注出口部材（１３００）とブラシ（１２００）をキャップ本体（１１００）に組付けたブラシ付キャップ（１０００）に、カバーキャップ（３０００）を冠着し、このカバーキャップを冠着したブラシ付キャップを、容器本体（２０００）の口頸部（２０２０）に、図７に示す容器本体（２０００）の定位置係止溝（２０２４）と図３（ｂ）に示すキャップ本体（１１００）の位置決め突部（１１８３）とにより位置決めして螺着したものである。そして、容器を使用するときに、カバーキャップ（３０００）を取り外して、開閉板（１１５０）の前方位置の押し板（１１５１）を指で押すと、図８に示すように、開閉板（１１５０）を支える左右両側のスイング支柱（１１４０）が付勢状態でスイング状に曲がり（矢印）、開閉板の下面の封止突部（１１５３）で封止されていた注出口部材（１３００）の注出筒（１３１０）の注出孔（１３１１）が開口し、掃除前又は掃除中に、容器本体の胴部を押圧することにより収納する液体洗剤やクレンザーなどを注出することができる。また、容器本体の口頸部が胴部に対して傾斜しており、掃除がしやすい。なお、液体洗剤やクレンザーなどの詰め替えは、ブラシ付キャップを容器本体の口頸部から螺脱して
行える。なお、内容物を詰め替える必要がなければ、ブラシ付キャップは、ラチェット方式あるいは打栓方式で容器に嵌合させることもできる。
【００２５】
次に、図９に示す実施形態２の掃除用ブラシ付容器（２００）について説明する。実施形態２の容器本体（２０００）は、図９に示すように、口頸部（２０２０）が胴部（２０１０）の中心線に対して前方へ３０度だけ傾斜するものである。口頸部の外周面にブラシ付キャップとの雄ネジ（２０２１）を設け、この雄ネジの下方の外周面の左右両側に、螺着方向側の係止突部（２０２２）と螺脱方向側の乗り越え係止突部（２０２３）を設けて、この二つの係止突部間に定位置係止溝（２０２４）を形成するものである。なお、乗り越え係止突部については、実施形態１の掃除用ブラシ付容器と同様に設けるものである。
【００２６】
実施形態２のブラシ付キャップ（４０００）の構造は、図９に示すように、キャップ本体（４１００）と、キャップ本体の天板（４１１０）上面に係着する開閉スイング部材（４４００）とブラシ（４２００）とからなり、キャップ本体（４１００）の構造は、天板（４１１０）の前方側が半円状で後方側は三角形状に延設し、前方側の天板に注出孔（４１２１）を上端にもつ注出筒（４１２０）を立設し、注出筒の外周近傍に、外周上端に咬合リング（４１３１９をもつ開閉スイング部材との咬合筒（４１３０）を周設し、咬合筒の後方の左右中央位置に位置決め突起（４１４１と４１４２）を左右並行に設けて、この二つの係止突部間に開閉スイング部材（４４００）を位置決めする定位置係止溝（４１４３）を形成し、後方側の天板（４１１０）にブラシとの係着リブ（４１５０）を外周に沿って立設し、周壁（４１６０）の下端の容器本体（２０００）の定位置係止溝（２０２４）に対応する位置に、容器本体との位置決め突部（４１６２）を設け、周壁（４１６０）の内周面に容器本体との雌ネジ（４１６１）を設けるものである。開閉スイング部材（４４００）の構造は、図９に示すように、中央にキャップ本体（４１００）の注出筒（４１３０）が貫入する貫通孔（４４２０）を設け、この貫通孔の左右両側縁部の天板（４４１０）に、下方が細幅となっているスイング支柱（４４３０）を立設し、この二つのスイング支柱の上端に、前方に押し板（４４４１）を設け後方に停止板（４４４２）を立設し、下面に注出口部材との封止突部を設ける開閉板（４４４０）を接続し、周壁（４４５０）の下面にキャップ本体の咬合筒（４１３０）との咬合溝（４４６０）を設け、この咬合溝の外側下端内面に咬合リング（４４６１）を設け、周壁の後方下端の左右中央位置に、キャップ本体の定位置係止溝（４１４３）に嵌入する位置決め突部（４４１１）を設けるものである。ブラシ（４２００）の構造は、図９に示すように、毛（４２３０）と水平断面形状が前方側が半円状で後方側が三角形状の台座（４２１０）とからなり、台座（４２１０）の天板（４２１１）に毛（１２２０）を植毛し、台座の前方位置に、開閉スイング部材（４４００）の開閉板（４４４０）を接続するスイング支柱（４４３０）が突出する切欠き部（４２２０）を設け、周壁（４２１０）の下端内周面をキャップ本体（４１００）の係着リブ（４１５０）に係合するように設けるものである。
【００２７】
実施形態２のカバーキャップ（３０００）の構造は、図９に示すように、実施形態１の掃除用ブラシ付容器のカバーキャップと同様である。
【００２８】
上述の実施形態２の掃除用ブラシ付容器（２００）は、図９に示すように、開閉スイング部材（４４００）とブラシ（４２００）をキャップ本体（４１００）に組付けたブラシ付キャップ（４０００）に、カバーキャップ（３０００）を冠着し、このカバーキャップを冠着したブラシ付キャップを、容器本体（２０００）の口頸部（２０２０）に、容器本体の定位置係止溝（２０２４）とキャップ本体の位置決め突部（４１６２）とにより位置決めして螺着したものである。そして、容器を使用するときに、カバーキャップ（３０００）を取り外して、図９に示す開閉板（４４４０）の前方位置の押し板（４４４１）を指で押すと、開閉板を支える左右両側のスイング支柱（４４３０）が付勢状態でスイング状に前方へ曲がり、開閉板の下面の封止突部で封止されていたキャップ本体（４１００）の
注出筒（４１２０）の注出孔（４１２１）が開口し、掃除前又は掃除中に、容器本体の胴部を押圧することにより収納する液体洗剤やクレンザーなどを注出することができる。また、容器本体の口頸部が胴部に対して傾斜しており、掃除がしやすい。なお、液体洗剤やクレンザーなどの詰め替えは、ブラシ付キャップを容器本体の口頸部から螺脱して行える。
【００２９】
次に、図１０に示す実施形態３の掃除用ブラシ付容器（３００）について説明する。実施形態３の容器本体（２０００）は、図１０に示すように、口頸部（２０２０）が胴部（２０１０）の中心線に対して前方へ３０度だけ傾斜するものである。口頸部の外周面にブラシ付キャップとの係合部（２０２５）を設けるものである。
【００３０】
実施形態３のブラシ付キャップ（５０００）の構造は、図１０に示すように、キャップ本体（５１００）と、キャップ本体の天板（５１１０）上面に係着するブラシ（５２００）と、ブラシの台座（５２１０）の天板（５２１１）に係着するシーソー式注出口部材（５３００）とからなり、キャップ本体（５１００）の構造は、天板（５１１０）の前方側が半円状で後方側は三角形状に延設し、天板の周壁（５１２０）中心対応位置に、シーソー式注出口部材（５３００）の注出時に連通する貫通孔を設け、周壁の内周面に容器本体との係合部を設けるものである。ブラシの構造は、図１１に示すように、毛（５２３０）と水平断面形状が前方側が半円状で後方側が三角形状の台座（５２１０）とからなり、台座の前方部に段差（５２１２）を設け、台座の左右方向中央に、段差の前方から後方へかけて水平断面形状が長方形状のシーソー式注出口部材の取付凹陥部（５２２０）を設け、取付凹陥部の前後方向中央位置の内側側面の両側に対向する軸受け凹部（５２２１）をそれぞれ設け、台座の後方の天板（５２１１）に毛（５２３０）を植毛するものである。シーソー式注出口部材（５３００）の構造は、図１１に示すように、前後方向に長い長方筒状で、天板（５３１０）の前後方向中央位置から前方部及び後方部が上方へ傾斜し、周壁（５３２０）の前方面、左右両側面及び後方面がブラシの台座（５２１０）の取付凹陥部（５２２０）の下端内周面に摺接し、周壁の前方面及び後方面を曲面状の摺接面で、その上下方向の中程に係止板（５３２３，５３２４）をそれぞれ突設し、周壁（５３２０）の左右両側面の前後方向の中央位置に、ブラシの台座の軸受け凹部（５２２１）に摺動可能に挿着する回転軸（５３２１）をそれぞれ突設し、周壁（５３２０）の後方面の係止板（５３２４）上方の上下方向の中程に注出孔（５３２２）を設けるものである。
【００３１】
実施形態３のカバーキャップ（３０００）の構造は、図１０に示すように、実施形態１の掃除用ブラシ付容器のカバーキャップと同様である。
【００３２】
上述の実施形態３の掃除用ブラシ付容器（３００）は、図１０に示すように、ブラシ（（５２００）とシーソー式注出口部材（５３００）をキャップ本体（４１００）に組付けたブラシ付キャップ（４０００）に、カバーキャップ（３０００）を冠着し、このカバーキャップを冠着したブラシ付キャップを、容器本体（２０００）の口頸部（２０２０）に、位置決めするように係着したものである。そして、容器を使用するときに、カバーキャップ（３０００）を取り外して、図１０に示すブラシの台座の前方部に突出するシーソー式注出口部材の天板の前方部を押し下げて、図１１に示す回転軸（５３２１）を中心に天板の後方部を押し上げて周壁（５３２０）後方面に設けられている注出孔（５３２２）を開口する。容器本体の胴部を押圧すると、シーソー式注出口部材の周壁の後方面の注出孔から、容器本体に収納されていた液体洗剤やクレンザーなどがブラシの毛に降り注ぎ泡立ち、この状態で、被掃除体をブラシで掃除することができる。
【００３３】
次に、図１３に示す実施形態４の掃除用ブラシ付容器（４００）について説明する。実施形態４の容器本体（２０００）は、図１３に示すように、口頸部（２０２０）が胴部（２０１０）の中心線に対して前方へ３０度だけ傾斜するものである。口頸部の外周面にブ
ラシ付キャップとの係合部（２０２５）を設けるものである。
【００３４】
実施形態４のブラシ付キャップ（６０００）の構造は、図１３に示すように、キャップ本体（６１００）と、キャップ本体の天板（６１１０）上面に係着するブラシ（６２００）と、ブラシの台座（６２１０）に係着する直立式注出口部材（６３００）とからなり、キャップ本体（６１００）の構造は、図１５に示すように、天板（６１１０）の先方側が半円状で後方側は三角形状に延設し、天板の周壁（６１２０）中心対応位置に、直立式注出口部材の注出時に連通する貫通孔を設け、周壁の内周面に容器本体との係合部（６１２１）を設けるものである。ブラシの構造は、図１４に示すように、毛（６２３０）と水平断面形状が前方側が長方形で後方側が三角形状の台座（６２１０）とからなり、台座の左右方向中央の前方部に段差を設けて水平断面形状が長方形状の直立式注出口部材の取付凹陥部（６２２０）を設け、取付凹陥部の内側側面の前後方向中央位置の両側に対向する直立式注出口部材との軸受け凹部（６２２２）をそれぞれ設け、底面の中央位置に直立式注出口部材との貫通孔（６２２１）を設け、台座の天板（６２２１）に毛を植毛するものである。直立式注出口部材（６３００）の構造は、図１４に示すように、前面から曲面状の摺接面の後面に貫通する注出孔（６３１０）を設ける角柱状で、左右両側面の対応する下端部のそれぞれに、台座（６２１０）の取付凹陥部（６２２０）の軸受け凹部（６２２２）に摺動可能に挿着する回転軸（６３２１）を設け、注出孔（６３１０）下端は直立したときにブラシの台座（６２１０）の取付凹陥部（６２２０）の貫通孔（６２２１）に連通するものである。
【００３５】
実施形態４のカバーキャップ（３０００）の構造は、図１３に示すように、実施形態１の掃除用ブラシ付容器のカバーキャップと同様である。
【００３６】
上述の実施形態４の掃除用ブラシ付容器（４００）は、図１３に示すように、ブラシ（６２００）の前方部に直立式注出口部材（６３００）を横状態で係着し、この直立式注出口部材付ブラシをキャップ本体（６１００）の天板（６１１０）に係着し、このブラシ付キャップにカバーキャップ（３０００）を冠着し、このカバーキャップを冠着したブラシ付キャップ（６０００）を、容器本体（２０００）の口頸部（２０２０）に、位置決めするように係着したものである。そして、容器を使用するときに、カバーキャップ（３０００）を取り外して、図１３に示すブラシ（６２００）の台座（６２１０）の前方部に前方方向へ突設する直立式注出口部材（６３００）を、図１５に示すように、後方上方へ回転して直立させて、直立式注出口部材の注出孔（６３１０）を開口し、容器本体の胴部を押圧して直立式注出口部材の注出孔から容器本体に収納されていた液体洗剤やクレンザーなどを注出させながら、容器先端部のブラシで被掃除体を掃除するものである。
【００３７】
次に、図１６に示す実施形態５の掃除用ブラシ付容器（５００）について説明する。実施形態５の容器本体（２０００）の構造は、図１６に示すように、実施形態１の容器本体と同様に、口頸部（２０２０）が胴部（２０１０）の中心線に対して前方へ３０度だけ傾斜するもので、口頸部の外周面にブラシ付キャップとの雄ネジ（２０２１）を設け、雄ネジの上方の外周面の左右両側に、それぞれ、螺着方向側の係止突部（２０２２）と螺脱方向側の乗り越え係止突部（２０２３）を設けて、この二つの係止突部間に定位置係止溝（２０２４）を形成するものである。
【００３８】
実施形態５のブラシ付キャップ（７０００）の構造は、図１６に示すように、キャップ本体（７１００）と、キャップ本体の天板上面に嵌着するブラシ（７２００）と、開閉ボタン部材（７３００）とからなり、キャップ本体の構造は、天板（７１１０）の前方側が半円状で後方側は三角形状に延設し、天板の外周内側にカバーキャップとの咬合リング（７１２１）を外周にもつ段差突起状部（７１２０）を設け、この段差突起状部の前方側に、図１７に示すように、上端外周縁部に係止リング（７１３１）をもち、内側に摺接開閉
支柱（７１３２）を放射状の複数個の接続リブ（７１３３）を下端に設けて中心に接続する注出筒（７１３０）を立設し、この注出筒の後方側の段差突起状部にブラシを係着する外周上端に咬合リングをもつ咬合筒を外周に沿わせて設けるものである。ブラシの構造は、図１６に示すように、毛（７２３０）と水平断面形状が前方側が半円状で後方側が三角形状の台座（７２１０）とからなり、台座の天板（７２１１）に毛を植毛し、台座の下端内周面にキャップ本体との咬合リングを設けるものである。開閉ボタン部材（７３００）の構造は、図１７に示すように、天板（７３１０）と周壁（７３２０）とからなり、天板の中央位置に開閉用摺接孔（７３１１）を設け外周に開口用引掛け周縁部（７３１２）を設け、周壁の上方内周に係止リング（７３２１）を設けるものである。
【００３９】
実施形態５のカバーキャップ（３０００）の構造は、図１６に示すように、実施形態１の掃除用ブラシ付容器のカバーキャップと同様である。
【００４０】
上述の実施形態５の掃除用ブラシ付容器（５００）は、図１６に示すように、ブラシ付キャップ（７０００）のキャップ本体（７１００）の天板の段差突起状部（７１２０）の前方側に立設する注出筒（７１３０）に、開閉ボタン部材（７３００）を冠着して押し下げて注出筒を封止し、この開閉ボタン部材付キャップ本体の注出筒の後方の天板の段差突起状部（７１２０）にブラシ（７２００）を係着し、このブラシ付キャップにカバーキャップ（３０００）を冠着し、このカバーキャップを冠着したブラシキャップを、容器本体（２００）の口頸部（２０２０）に、位置決めするように係着したものである。そして、容器を使用するときには、カバーキャップを取り外して、開閉ボタン部材を係止するまで引き上げて注出筒の開封し、容器本体の胴部を押圧して、開閉ボタン部材の開閉用摺接孔（７３１１）から容器本体に収納されていた液体洗剤やクレンザーなどを注出させながら、容器先端部のブラシで被掃除体を掃除するものである。
【図面の簡単な説明】
【００４１】
【図１】実施形態１の掃除用ブラシ付容器の構成を示す分解斜視図である。
【図２】実施形態１の掃除用ブラシ付容器を組付けたときの要部を示す断面図である。
【図３】（ａ）は、実施形態１の掃除用ブラシ付容器のキャップ本体の平面図であり、（ｂ）は、断面図であり、（ｃ）は、底面図である。
【図４】（ａ）は、実施形態１の掃除用ブラシ付容器のブラシの平面図であり、（ｂ）は、底面図である。
【図５】（ａ）は、実施形態１の掃除用ブラシ付容器の注出口部の平面図であり、（ｂ）は、断面図である。
【図６】実施形態１の掃除用ブラシ付容器のカバーキャップの断面図であり、（ｂ）は、底面図である。
【図７】実施形態１の掃除用ブラシ付容器の容器本体の側面図である。
【図８】実施形態１の掃除用ブラシ付容器の開閉板の押し板を押してスイング支柱を前方にスイングさせて、注出口部の注出孔を開口した状態を示す説明図である。
【図９】実施形態２の掃除用ブラシ付容器の構成を示す分解斜視図である。
【図１０】実施形態３の掃除用ブラシ付容器の構成を示す分解斜視図である。
【図１１】実施形態３の掃除用ブラシ付容器のブラシ付キャップの構成を示す分解斜視図である。
【図１２】実施形態３の掃除用ブラシ付容器のブラシ付キャップの注出孔を開口したときの斜視図である。
【図１３】実施形態４の掃除用ブラシ付容器の構成を示す分解斜視図である。
【図１４】実施形態４の掃除用ブラシ付容器のブラシ付キャップの構成を示す分解斜視図である。
【図１５】実施形態４の掃除用ブラシ付容器のブラシ付キャップの開閉操作を示す斜視図である。
【図１６】実施形態５の掃除用ブラシ付容器のブラシ付キャップの構成を示す分解斜視図である。
【図１７】実施形態５の掃除用ブラシ付容器の一部を切り欠いた斜視図である。
【符号の説明】
【００４２】
１００，２００，３００，４００，５００……掃除用ブラシ付容器
１０００，４０００，５０００，６０００，７０００……ブラシ付キャップ
１１００，４１００，５１００，６１００，７１００……キャップ本体
１１１０，１１２１，１２１１，３０１０，４１１０，４４１０，４２１１，５１１０，５２１１，５３１０，６１１０，６２１１，７１１０，７２１１，７３１０……天板
１１２０，７１２０……段差突起状部
１１２２，１１２３，４１３１，４４６１，７１２１……咬合リング
１１３０，４４２０，６２２１……貫通孔
１１４０，４４３０……スイング支柱
１１５０，４４４０……開閉板
１１５１，４４４１……押し板
１１５２，４４４２……停止板
１１５３……封止突部
１１６０，４１３０……咬合筒
１１６１……咬合凹リング
１１７０……嵌合突部
１１８０，１２１４，３０２０，４１６０，４４５０，５１２０，５３２０，６１２０，７１４０，７３２０……周壁
１１８１，４１６１……雌ネジ
１１８２，２０２２，４１４１，４１４２……係止突部
１１８３，４１６２……位置決め突部
１２００，４２００，５２００，６２００，７２００……ブラシ
１２１０，４２１０，５２１０，６２１０，７２１０……台座
１２１２……当接板
１２１３，１３３０……インナー封止リング
１２１５……咬合突部
１２２０，４２３０，５２３０，６２３０，７２３０……毛
１３００……注出口部材
１３１０，４１２０，７１３０……注出筒
１３１１，４１２１，５３２２，６３１０……注出孔
１３２０……嵌合凹部
２０００……容器本体
２０１０……胴部
２０２０……口頸部
２０２１……雄ネジ
２０２３……乗り越え係止突部
２０２４，４１４３……定位置係止溝
２０２５，６１２１……係合部
３０００……カバーキャップ
３０２１……換気用スリット
３０２２……咬合突部
３０２３……補強リブ
４１５０……係着リブ
４２２０……切欠き部
４４００……開閉スイング部材
４４６０……咬合溝
５２１２……段差
５２２０，６２２０……取付凹陥部
５２２１，６２２２……軸受け凹部
５３００……シーソー式注出口部材
５３２１，６３２１……回転軸
５３２３，５３２４……係止板
６２２０……取付凹部
６３００……直立式注出口部材
７１３２……摺接開閉支柱
７１３１，７３２１……係止リング
７１３３……接続リブ
７３００……開閉用ボタン部材
７３１１……開閉用摺接孔
７３１２……開口用引掛け周縁部
【図１】
2006051997.tif 000003
【図２】
2006051997.tif 000004
【図３】
2006051997.tif 000005
【図４】
2006051997.tif 000006
【図５】
2006051997.tif 000007
【図６】
2006051997.tif 000008
【図７】
2006051997.tif 000009
【図８】
2006051997.tif 000010
【図９】
2006051997.tif 000011
【図１０】
2006051997.tif 000012
【図１１】
2006051997.tif 000013
【図１２】
2006051997.tif 000014
【図１３】
2006051997.tif 000015
【図１４】
2006051997.tif 000016
【図１５】
2006051997.tif 000017
【図１６】
2006051997.tif 000018
【図１７】
2006051997.tif 000019